【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
複数の画像を記憶する画像記憶手段と、
複数の端末装置の位置情報を取得する位置情報取得手段と、
この位置情報取得手段により取得された各端末装置の位置情報に基づき、端末装置をグループ化する端末装置グループ化手段と、
この端末装置グループ化手段によりグループ化された端末装置のグループ毎に、画像変換の種類を設定する変換種類設定手段と、
前記複数の端末装置の各々に対応付けて、前記画像記憶手段に記憶された複数の画像の中から再生対象の画像を指定する再生画像指定手段と、
前記端末装置グループ化手段によりグループ化された端末装置のグループ毎に、前記再生画像指定手段により指定された各端末装置の各々に対応する再生対象の画像を前記画像記憶手段に記憶された複数の画像の中から読み出し、前記変換種類設定手段により設定された種類の画像変換により当該画像を変換する画像変換手段と、
この画像変換手段により変換された各画像を各対応する端末装置へ出力して表示させる画像出力手段と、
を備えたことを特徴とする画像表示装置。
【請求項２】
前記端末装置グループ化手段によりグループ化された端末装置のグループ毎に、当該グループ内の端末装置の画像再生時間を設定する再生時間設定手段を備え、
前記変換種類設定手段は、前記端末装置グループ化手段によりグループ化された端末装置のグループ毎に、画像変換の種類を設定し、当該設定された画像変換の種類を、前記再生時間設定手段により設定された画像再生時間に応じて順次更新して設定する更新設定手段を有し、
前記再生画像指定手段は、前記端末装置グループ化手段によりグループ化された端末装置のグループ毎に、当該グループ内の端末装置の各々に対応付けて、前記画像記憶手段により記憶された複数の画像の中から再生対象の画像を指定し、当該指定された再生対象の画像を、前記再生時間設定手段により設定された画像再生時間に応じて順次更新して指定する更新指定手段を有する、
ことを特徴とする請求項１に記載の画像表示装置。
【請求項３】
前記端末装置グループ化手段によりグループ化された端末装置のグループを示すグループ情報に対応付けて、前記変換種類設定手段により設定された画像変換の種類を記憶する変換種類記憶手段を備え、
前記画像変換手段は、前記変換種類記憶手段により記憶される端末装置のグループ情報が示すグループ毎に、前記再生画像指定手段により指定された各端末装置の各々に対応する再生対象の画像を前記画像記憶手段により記憶された複数の画像の中から読み出し、前記変換種類記憶手段により記憶された該当のグループ情報に対応する種類の画像変換により当該画像を変換する、
ことを特徴とする請求項１に記載の画像表示装置。
【請求項４】
前記端末装置グループ化手段によりグループ化された端末装置のグループを示すグループ情報と、当該グループ情報が示すグループ内の各端末装置を示す端末識別情報と、当該端末識別情報が示す各端末装置の各々に対応する再生対象の画像を指定する再生画像指定情報とを対応付けて記憶する端末画像記憶手段を備え、
前記画像変換手段は、前記端末画像記憶手段により記憶される端末装置のグループ情報、端末識別情報、再生画像指定情報に基づき、当該グループ情報が示すグループ毎に、各端末装置の各々に対応する再生対象の画像を前記画像記憶手段により記憶された複数の画像の中から読み出し、前記変換種類設定手段により設定された種類の画像変換により当該画像を変換する、
ことを特徴とする請求項１に記載の画像表示装置。
【請求項５】
前記画像出力手段は、前記画像変換手段により変換された各画像を各対応する端末装置へ順次所定時間毎に出力して表示させることを特徴とする請求項１に記載の画像表示装置。
【請求項６】
前記位置情報取得手段は、所定時間毎に複数の端末装置の位置情報を取得し、
前記端末装置グループ化手段は、前記位置情報取得手段により所定時間毎に取得された各端末装置の位置情報に基づき、端末装置をグループ化する、
ことを特徴とする請求項１に記載の画像表示装置。
【請求項７】
複数の端末装置との通信機能を有する電子機器のコンピュータを制御するためのプログラムであって、
前記コンピュータを、
複数の画像をメモリに記憶させる画像記憶手段、
複数の端末装置の位置情報を取得する位置情報取得手段、
この位置情報取得手段により取得された各端末装置の位置情報に基づき、端末装置をグループ化する端末装置グループ化手段、
この端末装置グループ化手段によりグループ化された端末装置のグループ毎に、画像変換の種類を設定する変換種類設定手段、
前記複数の端末装置の各々に対応付けて、前記画像記憶手段により記憶された複数の画像の中から再生対象の画像を指定する再生画像指定手段、
前記端末装置グループ化手段によりグループ化された端末装置のグループ毎に、前記再生画像指定手段により指定された各端末装置の各々に対応する再生対象の画像を前記画像記憶手段により記憶された複数の画像の中から読み出し、前記変換種類設定手段により設定された種類の画像変換により当該画像を変換する画像変換手段、
この画像変換手段により変換された各画像を各対応する端末装置へ出力して表示させる画像出力手段、
として機能させるためのプログラム。
【請求項８】
複数の画像表示装置が近接していることを判定する近接判定手段と、
前記近接判定手段により近接していると判定された複数の前記画像表示装置に対して、複数種類の画像変換の中の同一の画像変換を行なうように制御する画像変換制御手段と、
を備えたことを特徴とする画像表示装置。
【請求項９】
画像表示装置のコンピュータを制御するためのプログラムであって、
前記コンピュータを、
複数の画像表示装置が近接していることを判定する近接判定手段、
前記近接判定手段により近接していると判定された複数の前記画像表示装置に対して、複数種類の画像変換の中の同一の画像変換を行なうように制御する画像変換制御手段、
として機能させるためのプログラム。
【手続補正２】
【補正対象書類名】明細書
【補正対象項目名】００１１
【補正方法】変更
【補正の内容】
【００１１】
請求項１に記載の画像表示装置は、複数の画像を記憶する画像記憶手段と、複数の端末装置の位置情報を取得する位置情報取得手段と、この位置情報取得手段により取得された各端末装置の位置情報に基づき、端末装置をグループ化する端末装置グループ化手段と、この端末装置グループ化手段によりグループ化された端末装置のグループ毎に、画像変換の種類を設定する変換種類設定手段と、前記複数の端末装置の各々に対応付けて、前記画像記憶手段に記憶された複数の画像の中から再生対象の画像を指定する再生画像指定手段と、前記端末装置グループ化手段によりグループ化された端末装置のグループ毎に、前記再生画像指定手段により指定された各端末装置の各々に対応する再生対象の画像を前記画像記憶手段に記憶された複数の画像の中から読み出し、前記変換種類設定手段により設定された種類の画像変換により当該画像を変換する画像変換手段と、この画像変換手段により変換された各画像を各対応する端末装置へ出力して表示させる画像出力手段と、を備えたことを特徴としている。
【手続補正３】
【補正対象書類名】明細書
【補正対象項目名】００１２
【補正方法】変更
【補正の内容】
【００１２】
請求項２に記載の画像表示装置は、前記請求項１に記載の画像表示装置において、前記端末装置グループ化手段によりグループ化された端末装置のグループ毎に、当該グループ内の端末装置の画像再生時間を設定する再生時間設定手段を備え、前記変換種類設定手段は、前記端末装置グループ化手段によりグループ化された端末装置のグループ毎に、画像変換の種類を設定し、当該設定された画像変換の種類を、前記再生時間設定手段により設定された画像再生時間に応じて順次更新して設定する更新設定手段を有し、前記再生画像指定手段は、前記端末装置グループ化手段によりグループ化された端末装置のグループ毎に、当該グループ内の端末装置の各々に対応付けて、前記画像記憶手段により記憶された複数の画像の中から再生対象の画像を指定し、当該指定された再生対象の画像を、前記再生時間設定手段により設定された画像再生時間に応じて順次更新して指定する更新指定手段を有する、ことを特徴としている。
【手続補正４】
【補正対象書類名】明細書
【補正対象項目名】００１３
【補正方法】変更
【補正の内容】
【００１３】
請求項３に記載の画像表示装置は、前記請求項１に記載の画像表示装置において、前記端末装置グループ化手段によりグループ化された端末装置のグループを示すグループ情報に対応付けて、前記変換種類設定手段により設定された画像変換の種類を記憶する変換種類記憶手段を備え、前記画像変換手段は、前記変換種類記憶手段により記憶される端末装置のグループ情報が示すグループ毎に、前記再生画像指定手段により指定された各端末装置の各々に対応する再生対象の画像を前記画像記憶手段により記憶された複数の画像の中から読み出し、前記変換種類記憶手段により記憶された該当のグループ情報に対応する種類の画像変換により当該画像を変換する、ことを特徴としている。
【手続補正５】
【補正対象書類名】明細書
【補正対象項目名】００１４
【補正方法】変更
【補正の内容】
【００１４】
請求項４に記載の画像表示装置は、前記請求項１に記載の画像表示装置において、前記端末装置グループ化手段によりグループ化された端末装置のグループを示すグループ情報と、当該グループ情報が示すグループ内の各端末装置を示す端末識別情報と、当該端末識別情報が示す各端末装置の各々に対応する再生対象の画像を指定する再生画像指定情報とを対応付けて記憶する端末画像記憶手段を備え、前記画像変換手段は、前記端末画像記憶手段により記憶される端末装置のグループ情報、端末識別情報、再生画像指定情報に基づき、当該グループ情報が示すグループ毎に、各端末装置の各々に対応する再生対象の画像を前記画像記憶手段により記憶された複数の画像の中から読み出し、前記変換種類設定手段により設定された種類の画像変換により当該画像を変換する、ことを特徴としている。
【手続補正６】
【補正対象書類名】明細書
【補正対象項目名】００１６
【補正方法】変更
【補正の内容】
【００１６】
請求項６に記載の画像表示装置は、前記請求項１に記載の画像表示装置において、前記位置情報取得手段は、所定時間毎に複数の端末装置の位置情報を取得し、前記端末装置グループ化手段は、前記位置情報取得手段により所定時間毎に取得された各端末装置の位置情報に基づき、端末装置をグループ化する、ことを特徴としている。
【手続補正７】
【補正対象書類名】明細書
【補正対象項目名】００１７
【補正方法】変更
【補正の内容】
【００１７】
請求項７に記載のプログラムは、複数の端末装置との通信機能を有する電子機器のコンピュータを制御するためのプログラムであって、前記コンピュータを、複数の画像をメモリに記憶させる画像記憶手段、複数の端末装置の位置情報を取得する位置情報取得手段、この位置情報取得手段により取得された各端末装置の位置情報に基づき、端末装置をグループ化する端末装置グループ化手段、この端末装置グループ化手段によりグループ化された端末装置のグループ毎に、画像変換の種類を設定する変換種類設定手段、前記複数の端末装置の各々に対応付けて、前記画像記憶手段により記憶された複数の画像の中から再生対象の画像を指定する再生画像指定手段、前記端末装置グループ化手段によりグループ化された端末装置のグループ毎に、前記再生画像指定手段により指定された各端末装置の各々に対応する再生対象の画像を前記画像記憶手段により記憶された複数の画像の中から読み出し、前記変換種類設定手段により設定された種類の画像変換により当該画像を変換する画像変換手段、この画像変換手段により変換された各画像を各対応する端末装置へ出力して表示させる画像出力手段、として機能させることを特徴としている。
請求項８に記載の画像表示装置は、複数の画像表示装置が近接していることを判定する近接判定手段と、前記近接判定手段により近接していると判定された複数の前記画像表示装置に対して、複数種類の画像変換の中の同一の画像変換を行なうように制御する画像変換制御手段と、を備えたことを特徴としている。
請求項９に記載のプログラムは、画像表示装置のコンピュータを制御するためのプログラムであって、前記コンピュータを、複数の画像表示装置が近接していることを判定する近接判定手段、前記近接判定手段により近接していると判定された複数の前記画像表示装置に対して、複数種類の画像変換の中の同一の画像変換を行なうように制御する画像変換制御手段、として機能させることを特徴としている。